(57)【要約】【課題】車外充電装置を設置したり配線工事したりすることなく、充電スケジュールを決定することを可能にする。【解決手段】車両用充電システムは、家庭用電源から供給される電力を変換して車載のバッテリを充電する車載充電器３０と、家庭用電源と充電部とを接続して家庭用電源から車載充電器３０への電力の供給及び遮断を切替可能な充電遮断装置を備えるコネクタケーブルとを有する車両用充電システムにおいて、家庭用電源から充電部に供給可能な電力量を計測する充電可能電力算出処理部４１と、充電可能電力算出処理部４１が計測した電力量データを蓄積する記憶部３２と、記憶部３２に蓄積した電力量データを基にバッテリへの充電可能な電力量の時間推移を算出する充電可能電力推移算出処理部４２とを車載充電器３０に有する。【選択図】図２
2014017891.tif 000002
【特許請求の範囲】
【請求項１】
家庭用電源から供給される電力を変換して車載のバッテリを充電する車載の充電部と、前記家庭用電源と前記充電部とを接続して前記家庭用電源から前記充電部への電力の供給及び遮断を切替可能な充電遮断部を備える充電ケーブルとを有する車両用充電システムにおいて、
前記充電部又は前記充電遮断部は、
前記家庭用電源から前記充電部に供給可能な電力量を計測する計測部と、
前記計測部が計測した電力量データを蓄積するデータ蓄積部と、
前記データ蓄積部に蓄積した電力量データを基に前記バッテリへの充電可能な電力量の時間推移を算出する算出部と、
を有することを特徴とする車両用充電システム。
【請求項２】
前記充電部又は前記充電遮断部は、前記算出部が算出した充電可能な電力量の時間推移を基に前記バッテリの充電終了時刻を予測する予測部をさらに有し、
前記予測部が予測した充電終了時刻を表示する表示部をさらに有することを特徴とする請求項１に記載の車両用充電システム。
【請求項３】
他車両との間で通信を行う通信部をさらに有し、
前記算出部は、前記通信部が取得した他車両からの情報を基に同一系統の前記家庭用電源から自車両と他車両とを同時に充電すると判定すると前記通信部が当該他車両との通信によって取得した当該他車両への充電によって消費される電力量を考慮して自車両への充電可能な電力量の時間推移を算出することを特徴とする請求項１又は２に記載の車両用充電システム。
【請求項４】
前記データ蓄積部は、前記通信部によって蓄積された電力量データが送信される一方で、前記通信部によって前記他車両から受信した当該他車両における前記供給可能な電力量データが記憶されることを特徴とする請求項３に記載の車両用充電システム。
【請求項５】
前記充電部又は前記充電遮断部は、同一系統の前記家庭用電源から自車両と他車両とを同時に充電する場合の充電優先度を設定する設定部をさらに有し、
前記算出部は、前記設定部が設定した充電優先度を基に自車両への充電可能な電力量の時間推移を算出することを特徴とする請求項３又は４に記載の車両用充電システム。
【請求項６】
前記計測部は、前記バッテリへの充電電流を漸増させていったときに前記家庭用電源が電圧降下した時の充電電流と電圧とを基に前記供給可能な電力量を算出することを特徴とする請求項１乃至５の何れか１項に記載の車両用充電システム。
【請求項７】
前記計測部は、前記バッテリヘの充電中以外にも前記供給可能な電力量を計測し、前記充電中以外は充電中のときよりも前記供給可能な電力量の計測頻度を低くすることを特徴とする請求項１乃至６の何れか１項に記載の車両用充電システム。
【請求項８】
前記算出部は、電力使用料金が安くなる深夜料金が適用される時間帯以外の時間帯については充電可能な電力量を減少させる補正を行うことを特徴とする請求項１乃至７の何れか１項に記載の車両用充電システム。
【発明の詳細な説明】
【技術分野】
【０００１】
本発明は、家庭用電源から電動車両へ充電する車両用充電システムに関する。
【背景技術】
【０００２】
近年、家庭用電源からの供給電力によって車載のバッテリを充電することができる電気自動車等が提案されている。
図２９には、家庭用電源コンセント１００と車両１０１とがコネクタケーブル（又は充電ケーブル）１０２によって接続される状態を示す。図２９に示すように、一般的に、コネクタケーブル１０２には、充電遮断装置１０３が取り付けられている。また、図示しないが、車両１０１には、コネクタケーブル１０２を介して家庭用電源からの供給電力を車載のバッテリに充電するための車載充電器が備えられている。
【０００３】
ここで、図３０には、家電での消費電力の変化の一例を示し、図３１には、充電による消費電力（すなわち、充電電力）の変化の一例を示す。この図３０に示すように、家電での消費電力が極端に大きくなってしまうと、家庭用電源の供給電力低下によって、図３１に示すように、充電による消費電力（すなわち、充電電力）が減少してしまう。さらに、家電での消費電力と充電による消費電力との加算値が家庭用電源のブレーカ容量を超えてしまうと、家庭用電源のブレーカが作動してしまうが、その作動以降では、充電が停止してしまうことになる。
【０００４】
また、同一の電源系統の他の家庭用電源コンセントに他車両が接続された場合にも同様なことが起こる。すなわち例えば、自車両を含めた複数台の車両の消費電力の総和と家電での消費電力との加算値が家庭用電源のブレーカ容量を超えてしまうと、家庭用電源のブレーカが作動してしまうが、その作動以降では、車両全ての充電が停止してしまうことになる。
このようなことから、充電スケジュールに基づき充電を行うことが望まれる。
これに関連する技術として、特許文献１に開示の技術では、複数台の車両の予想消費電量等を基に充電スケジュールを決定している。
【先行技術文献】
【特許文献】
【０００５】
【特許文献１】特許第４３３３７９８号公報
【発明の概要】
【発明が解決しようとする課題】
【０００６】
しかし、特許文献１に開示の技術を実際に実現するためには、車外充電装置を設置したり配線工事したりする必要がある。これでは、インフラの整備が必要となり、コストが高くなってしまう。
本発明の目的は、車外充電装置を設置したり配線工事したりすることなく、充電スケジュールを決定することを可能にすることである。
【課題を解決するための手段】
【０００７】
前記課題を解決するために、（１）本発明の一態様は、家庭用電源から供給される電力を変換して車載のバッテリを充電する車載の充電部と、前記家庭用電源と前記充電部とを接続して前記家庭用電源から前記充電部への電力の供給及び遮断を切替可能な充電遮断部を備える充電ケーブルとを有する車両用充電システムにおいて、前記充電部又は前記充電遮断部は、前記家庭用電源から前記充電部に供給可能な電力量を計測する計測部と、前記計測部が計測した電力量データを蓄積するデータ蓄積部と、前記データ蓄積部に蓄積した電力量データを基に前記バッテリへの充電可能な電力量の時間推移を算出する算出部と、を有することを特徴とする車両用充電システムを提供する。
【０００８】
（２）本発明の一態様では、前記充電部又は前記充電遮断部は、前記算出部が算出した充電可能な電力量の時間推移を基に前記バッテリの充電終了時刻を予測する予測部をさらに有し、前記予測部が予測した充電終了時刻を表示する表示部をさらに有することが好ましい。
【０００９】
（３）本発明の一態様では、他車両との間で通信を行う通信部をさらに有し、前記算出部は、前記通信部が取得した他車両からの情報を基に同一系統の前記家庭用電源から自車両と他車両とを同時に充電すると判定すると前記通信部が当該他車両との通信によって取得した当該他車両への充電によって消費される電力量を考慮して自車両への充電可能な電力量の時間推移を算出するが好ましい。
【００１０】
（４）本発明の一態様では、前記データ蓄積部は、前記通信部によって蓄積された電力量データが送信される一方で、前記通信部によって前記他車両から受信した当該他車両における前記供給可能な電力量データが記憶されることが好ましい。
【００１１】
（５）本発明の一態様では、前記充電部又は前記充電遮断部は、同一系統の前記家庭用電源から自車両と他車両とを同時に充電する場合の充電優先度を設定する設定部をさらに有し、前記算出部は、前記設定部が設定した充電優先度を基に自車両への充電可能な電力量の時間推移を算出することが好ましい。
【００１２】
（６）本発明の一態様では、前記計測部は、前記バッテリへの充電電流を漸増させていったときに前記家庭用電源が電圧降下した時の充電電流と電圧とを基に前記供給可能な電力量を算出することが好ましい。
【００１３】
（７）本発明の一態様では、前記計測部は、前記バッテリヘの充電中以外にも前記供給可能な電力量を計測し、前記充電中以外は充電中のときよりも前記供給可能な電力量の計測頻度を低くすることが好ましい。
【００１４】
（８）本発明の一態様では、前記算出部は、電力使用料金が安くなる深夜料金が適用される時間帯以外の時間帯については充電可能な電力量を減少させる補正を行うことが好ましい。
【発明の効果】
【００１５】
（１）の態様の発明によれば、家庭用電源における家電の消費電力を考慮して車載のバッテリに充電可能な電力量の時間推移を算出できる。これによって、（１）の態様の発明は、家庭用電源の１つの電源系統から家電への電力供給と車載のバッテリへの充電とを同時に行っても、家電の動作が不安定になったり、家電が停止したりする事態を避けることを可能にする。
【００１６】
また、（１）の態様の発明によれば、車載の充電部や充電ケーブルが備える充電遮断部に、計測部、データ蓄積部、及び算出部を有するため、車外充電装置を設置したり配線工事したりする必要がない。
【００１７】
（２）の態様の発明によれば、充電開始前に充電終了時刻を予測して表示できるため、使用者は、その表示された予測充電終了時刻を参考にして充電開始時間を設定することが可能になる。これによって、（２）の態様の発明は、充電終了時刻に予期しない遅れが生じてしまうのを防止することや、家電の電力消費が多くなる時間帯に充電してしまうことによって充電途中に充電が停止してしまうのを避けることができる。
【００１８】
（３）の態様の発明によれば、家庭用電源の１つの電源系続から家電への電力供給と２台以上の各車両が搭載する各バッテリへの充電とを同時に行っても、家電の動作が不安定になったり、家電が停止したりする事態を避けることができる。
【００１９】
（４）の態様の発明によれば、算出部が、他車両が計測した電力量データを利用して自車両の充電可能な電力量の時間推移を算出できるため、自車両の充電可能な電力量の時間推移を精度良く予測できる。
【００２０】
（５）の態様の発明によれば、自車両と他車両とを同時に充電する場合の充電優先度が使用者によって設定可能になるため、使用者の意思に合致させた充電可能な電力量の時間推移を算出できる。これによって、（５）の態様の発明は、例えば、出発時間になっても車両が１台も目的地への移動に必要な充電量を確保できていないという事態を減らすことができる。
【００２１】
（６）の態様の発明によれば、装置を追加することなく供給可能な電力量を計測できる。
【００２２】
（７）の態様の発明によれば、バッテリへの充電中以外にも供給可能な電力量を計測することによって、車載のバッテリに充電可能な電力量の時間推移について様々な時間帯の値を取得することができる。そして、（７）の態様の発明では、そのように車載のバッテリに充電可能な電力量の時間推移について様々な時間帯の値を取得することを可能にしつつも、バッテリへの充電中以外は低頻度で供給可能な電力量を計測するため、充電開始前後の待機中電力を減少させることができる。
【００２３】
（８）の態様の発明によれば、電力使用料金の安くなる時間帯に充電を行うように誘導することが可能になる。
【図面の簡単な説明】
【００２４】
【図１】第１の実施形態における車両の構成例を示す図である。
【図２】第１の実施形態における車載充電器の構成例を示すブロック図である。
【図３】充電可能電力を算出する処理の一例を示すフローチャートである。
【図４】使用者による充電時刻設定を可能にする処理の一例を示すフローチャートである。
【図５】電力計測タイマ処理の一例を示すフローチャートである。
【図６】充電可能電力算出及び記憶処理の一例を示すフローチャートである。
【図７】記憶部における充電可能電力の保存先の構成例を示す図である。
【図８】充電時刻決定処理の一例を示すフローチャートである。
【図９】充電の有無に応じた計測周期の一例を示す図である。
【図１０】充電予約を行う際の表示装置の表示態様の一例を示す図である。
【図１１】充電可能電力が小さい時間帯での充電について説明する図である。
【図１２】家電の消費電力を基に計測周期を決定することについて説明する図である。
【図１３】充電可能電力の変化を基に充電電力を調整することについて説明する図である。
【図１４】同一の電源系統の家庭用電源コンセントを利用して２台の車両を充電する場合を示す図である。
【図１５】第２の実施形態における車載充電器の構成例を示すブロック図である。
【図１６】第２の実施形態における充電可能電力を算出する処理の一例を示すフローチャートである。
【図１７】第２の実施形態における使用者による充電時刻設定を可能にする処理の一例を示すフローチャートである。
【図１８】２台同時充電用の充電可能電力算出及び記憶処理の一例を示すフローチャートである。
【図１９】第２の実施形態における充電時刻決定処理の一例を示すフローチャートである。
【図２０】記憶部に記憶されている充電優先度の一例を示す図である。
【図２１】充電所要時間算出処理の一例を示すフローチャートである。
【図２２】第１充電比率算出処理の一例を示すフローチャートである。
【図２３】充電比率マップ又はテーブルの一例を示す図である。
【図２４】第２充電比率算出処理の一例を示すフローチャートである。
【図２５】充電優先度に対応する目標終了時間差を取得するためのマップ又はテーブルの一例を示す図である。
【図２６】第２の実施形態における、充電可能電力が小さい時間帯での充電について説明する図である。
【図２７】第２の実施形態における、充電可能電力が小さい時間帯での充電について説明する他の図である。
【図２８】第２の実施形態における、充電予約を行う際の表示装置の表示態様を示す図である。
【図２９】家庭用電源のコンセントと車両とがコネクタケーブル（又は充電ケーブル）によって接続される状態を示す図である。
【図３０】家電での消費電力の変化の一例を示す図である。
【図３１】充電による消費電力の変化の一例を示す図である。
【発明を実施するための形態】
【００２５】
本発明の実施形態を図面を参照しつつ説明する。
（第１の実施形態）
先ず、第１の実施形態について説明する。
第１の実施形態では、車両用充電システムが適用される車両を挙げている。
【００２６】
（構成）
第１の実施形態における車両としては、ハイブリッドカー（ＨＥＶ：Hybrid Electric Vehicle）又は電気自動車（ＥＶ：Electric Vehicle）が挙げられる。そして、本実施形態では、このような車両が、家庭用電源（すなわち、ＡＣ１００Ｖ又はＡＣ２００Ｖ）によって車載のバッテリの充電ができるいわゆるプラグイン式の車両となる。
【００２７】
図１には、その車両の構成例を示す。
図１に示すように、車両１は、バッテリパック２、車両コントローラ３、表示装置４、入力装置５、及び車載充電器３０を有している。これらバッテリパック２、車両コントローラ３、表示装置４、入力装置５、及び車載充電器３０は、車内通信線（例えば、ＣＡＮ：Controller Area Network）６によって相互に通信できるように接続されている。
【００２８】
車両コントローラ３は、車両内における各種の制御を行う。例えば、車両コントローラ３は、車両走行時に不図示の駆動モータやインバータの駆動を制御する。
表示装置４は、車室内に配置されて、乗員に各種の情報を提供する。また、入力装置５は、車室内に配置されて、乗員に操作されて各種の情報が入力される。本実施形態では、後述するように、例えば、表示装置４には、充電可能電力の時間推移が表示される。また、入力装置５が乗員に操作されて、充電時刻の設定に必要な情報が入力される。
【００２９】
バッテリパック２には、駆動モータで消費される電力が蓄積される。このバッテリパック２は、内蔵するバッテリコントローラ２ａによって充放電が制御される。
車載充電器３０は、外部からの供給電力によるバッテリの充電を可能にする。そのために、車載充電器３０は、高電圧ケーブル７によってバッテリパック２と電気的に接続されている。本実施形態は、この車載充電器３０は、後述するように充電可能電力の算出等のための制御部４０等を有している。また、この車載充電器３０は、車体に設けられている充電器側コンセント（プラグ差込部）８と電気的に接続されている。
【００３０】
充電器側コンセント（又は車両側コンセント）８には、コネクタケーブル１０が接続されて、当該コネクタケーブル１０を介して家庭用電源から電力が供給される。ここで、コネクタケーブル１０の一端には、充電器側コンセント８に接続するための充電器側プラグ１１が設けられ、コネクタケーブル１０の他端には、家庭用電源から電力が供給される家庭用電源コンセント（プラグ差込部）２１に接続するための家庭用電源側プラグ１２が設けられている。そして、コネクタケーブル１０の途中には、充電遮断装置（例えば、ＣＣＩＤ：Charging Circuit Interrupt Device）１３が設けられている。充電遮断装置１３は、家庭用電源と車載充電器３０とを接続して家庭用電源から車載充電器３０への電力の供給及び遮断を切替可能にする。例えば、充電遮断装置１３は、漏電遮断機能を有する。また、家庭用電源コンセント２１は、家庭用電源の電力供給系統に接続されている。ここで、同電力供給系統には、ドライヤ、エアコン、冷蔵庫、アイロン、ＩＨ炊飯器等の家電が接続され、これらによって電力が消費される。
【００３１】
本実施形態における車両は、以上のような構成を有している。このような構成において、バッテリパック２、車載充電器３０、及びコネクタケーブル１０は、車両用充電システムを構成する。
そして、このような車両用充電システムは、家庭用電源の電力消費状態に応じた充電時刻（充電開始時刻等）の設定、すなわち充電予約の設定を可能にしている。
【００３２】
図２には、そのような充電予約の設定を可能にする構成を示す。ここで、車載充電器３０がその構成を有している。
具体的には、図２に示すように、車載充電器３０は、制御部４０、タイマ３１及び記憶部３２を有している。ここで、制御部４０は、例えば、マイクロコンピュータ及びその周辺回路を備えるＥＣＵ（Electronic Control Unit）において構成されている。そして、本実施形態では、制御部４０は、充電可能電力算出処理部４１、充電可能電力推移算出処理部４２、充電時刻決定処理部４３、及び充電所要時間算出処理部４４を有している。
【００３３】
車載充電器３０は、このような構成によって、家庭用電源の電力消費状態を基に車両に充電可能な電力を算出し、その算出した充電可能電力の時間推移に基づき使用者が充電時刻（充電開始時刻等）を設定することを可能にしている。
図３には、充電可能電力を算出する処理の一例のフローチャートを示す。また、図４には、使用者による充電時刻設定を可能にする処理の一例のフローチャートを示す。以下に、図３及び図４に示す処理手順に沿って、図２に示す車載充電器３０の各部の処理内容を具体的に説明する。
【００３４】
図３に示すように、先ずステップＳ１では、充電可能電力算出処理部４１は、コネクタケーブル１０によって充電器側コンセント８と家庭用電源コンセント２１とが接続されたか否かを判定する。充電可能電力算出処理部４１は、接続されたと判定したときに、ステップＳ２に進む。
【００３５】
ステップＳ２では、充電可能電力算出処理部４１は、予約充電目標ＳＯＣ値（又は使用者設定目標ＳＯＣ値）を設定する。
ここで、予約充電目標ＳＯＣ値は、充電予約で設定した充電スケジュールに従い実施する充電で目標とするＳＯＣ値である。これは、本実施形態では、後述するように、充電電流を増加させることで充電可能電力を計測するため、充電スケジュールに従う充電実施中に満充電になってしまうとその満充電以降、充電ができなくなり（すなわち、充電電流を増加させることができなくなり）充電可能電力の計測ができなくなる。そのため、予約充電目標ＳＯＣ値を、満充電の値（すなわち、満充電ＳＯＣ値）未満の値にも設定可能にしている。そして、本実施形態では、使用者が入力装置５を操作して予約充電目標ＳＯＣ値を設定できるようになっている。
【００３６】
このようなことから、ステップＳ２では、充電可能電力算出処理部４１は、使用者が入力した値を基に予約充電目標ＳＯＣ値を設定する。例えば、本実施形態では、満充電にする予約充電目標ＳＯＣ値をデフォルトとし、予約充電目標ＳＯＣ値として９０％、８０％、及び７０％の何れかを使用者が選択できるようになっている。ここで、例えば、７０％の予約充電目標ＳＯＣ値だと、充電可能電力の計測が可能になるが、充電状態が満充電に満たない分、車両の航続距離が減少する。
【００３７】
次に、ステップＳ３では、充電可能電力算出処理部４１は、電力計測タイマ処理を行う。続いて、ステップＳ４では、充電可能電力算出処理部４１は、充電可能電力算出及び記憶処理を行う。そして、充電可能電力算出処理部４１は、当該図３に示す処理を終了する。
ここで、電力計測タイマ処理では、充電の有無に応じて充電可能電力の算出のための電圧の計測周期が決定され、充電可能電力算出及び記憶処理では、電力計測タイマ処理で決定した計測周期で計測された電圧に基づき充電可能電力を算出し、算出した充電可能電力を記憶する。図５及び図６を用いて、これら電力計測タイマ処理、並びに充電可能電力算出及び記憶処理を説明する。
【００３８】
図５には、電力計測タイマ処理の一例のフローチャートを示す。
図５に示すように、先ずステップＳ２１では、充電可能電力算出処理部４１は、タイマ３１の作動を開始させる。
次に、ステップＳ２２では、充電可能電力算出処理部４１は、車両が家庭用電源から供給される電力によって充電を行っている最中であるか否かを判定する。充電可能電力算出処理部４１は、充電中であると判定すると、ステップＳ２３に進む。また、充電可能電力算出処理部４１は、充電中でないと判定すると、ステップＳ２４に進む。
【００３９】
ステップＳ２３では、充電可能電力算出処理部４１は、タイマ３１のカウント値が５分を経過したか否かを判定する。そして、充電可能電力算出処理部４１は、タイマ３１のカウント値が５分を経過したと判定したときに、当該図５に示す処理を終了する（すなわち、前記ステップＳ４に進む）。
【００４０】
ステップＳ２４では、充電可能電力算出処理部４１は、タイマ３１のカウント値が３０分を経過したか否かを判定する。そして、充電可能電力算出処理部４１は、タイマ３１のカウント値が３０分を経過したと判定したときに、当該図５に示す処理を終了する（すなわち、前記ステップＳ４に進む）。
図５に示す電力計測タイマ処理は以上のような内容になる。
【００４１】
図６には、前記ステップＳ４の充電可能電力算出及び記憶処理の一例のフローチャートを示す。
図６に示すように、先ず、ステップＳ４１では、充電可能電力算出処理部４１は、充電電流増加処理を行う。具体的には、充電可能電力算出処理部４１は、充電電流増加処理によって、充電電流を徐々に増加させていく。例えば、充電可能電力算出処理部４１は、充電電流を５Ａから１５Ａまで徐々に増加させていく。
【００４２】
次に、ステップＳ４２では、充電可能電力算出処理部４１は、前記ステップＳ４１において充電電流を徐々に増加させながら家庭用電源コンセント２１の電源系統の電圧が降下したか否かを判定する。そして、充電可能電力算出処理部４１は、家庭用電源コンセント２１の電源系統の電圧が降下したと判定したときに、ステップＳ４３に進む。
【００４３】
ステップＳ４３では、充電可能電力算出処理部４１は、充電可能電力を算出する。具体的には、充電可能電力算出処理部４１は、電圧と充電電流と（すなわち、電圧降下時の電圧と充電電流と）を基に電力を算出し、その算出した電力を充電可能電力とする。
ここで、充電に使用している家庭用電源コンセント２１の電源系統での家電の消費電力が大きくなるほど、少ない充電電流で電圧が降下し始める。このようなことから、前記ステップＳ４２において電圧が降下したと判定されて算出される充電可能電力は、その値が小さいほど家電の消費電力が大きいことを示し、家電の電力消費状態の指標にもなる。
【００４４】
次に、ステップＳ４４では、充電可能電力算出処理部４１は、前記ステップＳ４３で算出した充電可能電力の記憶部３２への保存先を選択する。
図７には、保存先の構成例を示す。
図７に示すように、曜日毎、季節毎、充電場所毎が保存先として予め用意されている。そして、充電可能電力算出処理部４１は、使用者による入力装置５への入力情報に基づき、このように予め用意されている保存先を選択したり、車両が搭載しているカレンダ機能、時計機能等を利用して予め用意されている保存先を選択したりする。
【００４５】
次に、ステップＳ４５では、充電可能電力算出処理部４１は、充電可能電力の制限処理を行う。具体的には、充電可能電力算出処理部４１は、前記ステップＳ４３で算出した充電可能電力が予め設定されている上限値を超えている場合には、充電可能電力をその上限値に設定する。例えば、予め設定されている制限値は、充電時の規格値（１．５ｋＷ（＝１００Ｖ×１５Ａ））である。
【００４６】
次に、ステップＳ４６では、充電可能電力算出処理部４１は、前記ステップＳ４４で選択した保存先に、前記ステップＳ４３で算出した充電可能電力又は前記ステップＳ４５で上限値に設定した充電可能電力を保存する。そして、充電可能電力算出処理部４１は、当該図６に示す処理を終了する（前記ステップＳ４の処理を終了する）。
図６に示す充電可能電力算出及び記憶処理は以上のような内容になる。
【００４７】
次に、図４を参照しつつ、使用者による充電時刻設定を可能にする処理を説明する。
図４に示すように、先ずステップＳ６１では、充電可能電力推移算出処理部４２は、充電予約（すなわち、充電スケジュールの設定）を開始するか否かを判定する。例えば、充電可能電力推移算出処理部４２は、使用者による入力装置５への入力情報に基づき、充電開始の要求がなされたか否かを判定する。そして、充電可能電力推移算出処理部４２は、充電開始の要求がなされたとき、充電予約を開始することとして、ステップＳ６２に進む。
【００４８】
ステップＳ６２では、充電可能電力推移算出処理部４２は、充電可能電力が保存されている保存先を選択する。例えば、充電可能電力推移算出処理部４２は、使用者が入力装置５に入力した選択指示に基づき保存先を選択したり、カレンダ機能、時計機能等を利用して保存先を選択したりする。
【００４９】
ステップＳ６３では、充電可能電力推移算出処理部４２は、前記ステップＳ６２で選択した保存先に保存データ（すなわち、充電可能電力のデータ）が有るか否かを判定する。充電可能電力推移算出処理部４２は、選択した保存先に保存データが有ると判定すると、ステップＳ６４に進む。また、充電可能電力推移算出処理部４２は、選択した保存先に保存データが無いと判定すると、ステップＳ６５に進む。
【００５０】
ステップＳ６４では、充電可能電力推移算出処理部４２は、保存データを基に、充電可能電力の時間推移を算出する。例えば、保存データの保存先が月曜日であった場合、充電可能電力推移算出処理部４２は、月曜日の充電可能電力の時間推移を算出する。そして、充電可能電力推移算出処理部４２は、ステップＳ６６に進む。
【００５１】
ステップＳ６５では、充電可能電力推移算出処理部４２は、保存先に保存データがないため、デフォルト値を基に、充電可能電力の時間推移を算出する。例えば、充電初回やリセット時には、デフォルト値に基づき充電可能電力の時間推移が算出される。そして、充電可能電力推移算出処理部４２は、ステップＳ６６に進む。
【００５２】
ステップＳ６６では、充電可能電力推移算出処理部４２は、充電可能電力補正処理を行う。具体的には、充電可能電力推移算出処理部４２は、充電可能電力補正処理によって、前記ステップＳ６４又は前記ステップＳ６５で算出した時間推移で示される充電可能電力のうち、深夜電気料金以外の時間帯の充電可能電力から予め設定されたオフセット値（例えば、０．５ｋＷ分）を減算する。
【００５３】
次に、ステップＳ６７では、充電可能電力推移算出処理部４２は、充電時刻決定処理を行う。そして、充電可能電力推移算出処理部４２は、当該図４に示す処理を終了する。
図４に示す処理は以上のような内容になる。
図８には、前記ステップＳ６７の充電時刻決定処理の一例のフローチャートを示す。
図８に示すように、先ずステップＳ８１では、充電時刻決定処理部４３は、充電希望時間帯を取得する。例えば、充電時刻決定処理部４３は、使用者による入力装置５への入力情報に基づき、使用者が希望する充電時間帯を取得する。
【００５４】
次に、ステップＳ８２では、充電時刻決定処理部４３は、充電可能電力の時間推移を表示装置４に表示する。具体的には、充電時刻決定処理部４３は、算出（又は補正）した充電可能電力の時間推移（必要に応じて充電可能電力補正処理において処理を施した値）のうち、前記ステップＳ８１で取得した充電希望時間帯を含む時間帯のものを表示装置４に表示する。このとき、例えば、充電に使用されている家庭用電源コンセント２１の電源系統に接続されている家電の消費電力が大きく、充電を行うとブレーカが作動するような時間帯については、すなわち、充電可能電力が小さい時間帯については、充電予約による充電を制限する表示をしたり、充電予約による充電を受け付けない表示をしたりする。
【００５５】
次に、ステップＳ８３では、充電時刻決定処理部４３は、使用者によって充電開始時刻の仮設定がなされたか否かを判定する。例えば、表示装置４に表示された充電可能電力の時間推移を参照して、使用者が入力装置５から希望する充電開始時刻を入力できるようになっている。充電時刻決定処理部４３は、このような入力が有ったとき、使用者によって充電開始時刻の仮設定がなされたとして、ステップＳ８４に進む。
【００５６】
ステップＳ８４では、充電時刻決定処理部４３は、目的地に移動するのに必要となるＳＯＣ値の目標値（以下、目的地移動用目標ＳＯＣ値という。）を取得する。例えば、ここでいう目的地は、使用者により入力装置５から入力された目的地情報や、カーナビゲーションシステムから取得した目的地情報から決定される。充電時刻決定処理部４３は、このようにして決定される目的地に移動するのに必要となる目的地移動用目標ＳＯＣ値を算出する。
【００５７】
次に、ステップＳ８５では、充電所要時間算出処理部４４は、目的地移動用目標ＳＯＣ値までの充電所要時間（以下、第１充電所要時間という。）Ｔ１を算出する。具体的には、充電所要時間算出処理部４４は、前記ステップＳ８４で算出した目的地移動用目標ＳＯＣ値、現在のバッテリの充電状態、充電可能電力の時間推移、及び前記ステップＳ８３で仮設定された充電開始時刻を基に第１充電所要時間Ｔ１を算出する。これによって、充電所要時間算出処理部４４は、仮設定された充電開始時刻に現在のバッテリの充電状態から充電を開始して、充電可能電力の時間推移を考慮した充電を行い、目的地移動用目標ＳＯＣ値に達するまでの時間として第１充電所要時間Ｔ１を算出する。
【００５８】
次に、ステップＳ８６では、充電所要時間算出処理部４４は、使用者が希望する充電状態、すなわち、前記ステップＳ２で設定した予約充電目標ＳＯＣ値までの充電所要時間（以下、第２充電所要時間という。）Ｔ２を算出する。具体的には、充電所要時間算出処理部４４は、予約充電目標ＳＯＣ値、現在のバッテリの充電状態、充電可能電力の時間推移、及び前記ステップＳ８３で仮設定された充電開始時刻を基に第２充電所要時間Ｔ２を算出する。これによって、充電所要時間算出処理部４４は、仮設定された充電開始時刻に現在のバッテリの充電状態から充電を開始して、充電可能電力の時間推移を考慮した充電を行い、予約充電目標ＳＯＣ値に達するまでの時間として第２充電所要時間Ｔ２を算出する。
【００５９】
次に、ステップＳ８７では、充電時刻決定処理部４３は、第１充電所要時間Ｔ１が第２充電所要時間Ｔ２よりも大きいか否かを判定する。充電時刻決定処理部４３は、第１充電所要時間Ｔ１が第２充電所要時間Ｔ２よりも大きいと判定すると（Ｔ１＞Ｔ２）、ステップＳ８９に進む。また、充電時刻決定処理部４３は、第１充電所要時間Ｔ１が第２充電所要時間Ｔ２以下であると判定すると（Ｔ１≦Ｔ２）、ステップＳ８８に進む。
【００６０】
ステップＳ８８では、充電時刻決定処理部４３は、第１及び第２充電所要時間Ｔ１、Ｔ２を表示装置４に表示する。具体的には、充電時刻決定処理部４３は、前記ステップＳ８３で仮設定された充電開始時刻を充電開始時点とし、第１及び第２充電所要時間Ｔ１、Ｔ２が経過した後の各時刻を充電終了時点とし、表示装置４への表示を行う。そして、充電時刻決定処理部４３は、ステップＳ９０に進む。
【００６１】
ステップＳ８９では、充電時刻決定処理部４３は、第２充電所要時間Ｔ２と車両の航続距離が不足する旨とを表示装置４に表示する。そして、充電時刻決定処理部４３は、ステップＳ９０に進む。
ここで、充電時刻決定処理部４３は、第２充電所要時間Ｔ２の表示については、前記ステップＳ８３で仮設定された充電開始時刻を充電開始時点とし、第２充電所要時間Ｔ２経過した後の時刻を充電終了時点とし、表示装置４への表示を行う。
【００６２】
また、充電時刻決定処理部４３は、ステップＳ８７の判定処理で第１充電所要時間Ｔ１が第２充電所要時間Ｔ２よりも大きいと判定した場合に、このステップＳ８９に進んでいる。ここで、第１充電所要時間Ｔ１が第２充電所要時間Ｔ２よりも大きい場合は、目的地に移動するために必要な目標ＳＯＣ値に達する前に、使用者が希望する充電状態（例えば満充電）に達してしまうことを意味する。このようなことから、ステップＳ８９では、充電時刻決定処理部４３は、車両の航続距離が不足する旨を表示装置４に表示する。
【００６３】
ステップＳ９０では、充電時刻決定処理部４３は、使用者によって充電開始時刻の本設定がなされたか否かを判定する。例えば、前記ステップＳ８８や前記ステップＳ８９で表示装置４に表示された情報を参照して、使用者が入力装置５から希望する充電開始時刻を入力できるようになっている。充電時刻決定処理部４３は、このような入力が有ったとき、使用者によって充電開始時刻の本設定がなされたとして、ステップＳ９１に進む。
【００６４】
ステップＳ９１では、充電時刻決定処理部４３は、前記ステップＳ９０で本設定された充電開始時刻を最終的に充電開始時刻として決定（又は確定）する。そして、充電時刻決定処理部４３は、当該図８に示す処理を終了する。この充電開始時刻の決定によって、車両用充電システムは、決定された充電開始時刻に充電を開始する。
図８に示す充電時刻決定処理は以上のような内容になる。
【００６５】
（動作、作用等）
次に、第１の実施形態における車両用充電システムの動作、作用等の一例について説明する。
車両用充電システムは、コネクタケーブル１０によって充電器側コンセント８と家庭用電源コンセント２１とが接続されると、電力計測タイマ処理、並びに充電可能電力算出及び記憶処理によって、充電の有無に応じた計測周期で充電可能電力を算出し、算出した充電可能電力を記憶部３２に記憶する（図３、図５、図６）。このとき、車両用充電システムは、充電期間中には、先の充電予約等による充電スケジュールに従った充電電流（又は充電電力）による充電を行う一方で、５分おきに電圧降下の計測のための充電電流増加処理を実施する。また、車両用充電システムでは、バッテリが満充電状態になった場合には、充電電流増加処理によって充電電流を増加させることができなくなるために、充電可能電力の算出は行われない。
【００６６】
図９には、充電の有無に応じた計測周期の一例を示す。図９に示すように、車両用充電システムは、充電期間中は、５分間隔で電圧降下の計測を行い、車両用充電システムは、充電期間外（すなわち、充電待機中及び充電終了後）は、３０分間隔で電圧降下の計測を行っている。このように、車両用充電システムは、充電期間外では充電期間中よりも遅い３０分間隔で計測処理を行うことで、当該処理に伴うシステム起動等に伴う電力消費を抑えることができる。
【００６７】
そして、車両用充電システムは、充電予約を開始すると（使用者からの充電予約の設定要求を受け付けると）、充電可能電力が保存されている保存先を選択する（前記ステップＳ６１、前記ステップＳ６２）。そして、車両用充電システムは、選択した保存先に保存データがある場合には、その保存データを基に、充電可能電力の時間推移を算出する（前記ステップＳ６３、前記ステップＳ６４）。一方、車両用充電システムは、選択した保存先に保存データがない場合には、デフォルト値を基に、充電可能電力の時間推移を算出する（前記ステップＳ６３、前記ステップＳ６５）。それから、車両用充電システムは、算出した充電可能電力の時間推移に補正処理を施した後、充電時刻決定処理を行う（前記ステップＳ６６、前記ステップＳ６７）。
【００６８】
充電時刻決定処理では、車両用充電システムは、先ず、使用者が設定した充電希望時間帯を含む時間帯の充電可能電力の時間推移を表示装置４に表示する（前記ステップＳ８１、前記ステップＳ８２）。そして、車両用充電システムは、使用者によって充電開始時刻の仮設定がなさると、その充電開始時刻の情報を用いて、目的地移動用目標ＳＯＣ値に基づく第１充電所要時間Ｔ１の算出と、予約充電目標ＳＯＣ値に基づく第２充電所要時間Ｔ２の算出とを行う（前記ステップＳ８３乃至前記ステップＳ８６）。これによって、車両用充電システムは、第１充電所要時間Ｔ１が第２充電所要時間Ｔ２よりも大きい場合には、第２充電所要時間Ｔ２と車両の航続距離が不足する旨とを表示装置４に表示する（前記ステップＳ８７、前記ステップＳ８９）。また、車両用充電システムは、第１充電所要時間Ｔ１が第２充電所要時間Ｔ２以下である場合には、第１及び第２充電所要時間Ｔ１、Ｔ２に基づき表示装置４に表示を行う（前記ステップＳ８７、前記ステップＳ８８）。そして、車両用充電システムは、使用者によって充電開始時刻の本設定がなされると、充電開始時刻を決定する（前記ステップＳ９０、前記ステップＳ９１）。その後、車両用充電システムは、以上のようにして設定された充電予約の充電スケジュールに従い、決定された充電開始時刻に充電を開始し、予め算出した充電可能電力の時間推移に基づいて充電を行う。
【００６９】
ここで、図１０には、充電予約を行う際の表示装置４の表示態様（すなわち、前記ステップＳ８８や前記ステップＳ８９における表示態様）の一例を示す。ここで、図１０（ｂ）には、図１０（ａ）の場合よりも使用者が充電開始時刻を２時間遅い時刻に仮設定した場合を示す。
【００７０】
図１０（ａ）及び（ｂ）に示すように、表示装置４には、使用者が仮設定された充電開始時刻から、算出した充電所要時間に応じた充電終了時刻（すなわち、充電終了予測時刻）までの時間帯を表示する。そして、図１０（ｂ）に示すように、使用者が充電開始時刻を２時間後にずらして仮設定すると、充電時間帯に充電可能電力が最小となる時間帯が重なることで、充電終了時刻が大きく後方にずれ込むことになる。
【００７１】
また、図１１を用いて、家電の消費電力が大きい時間帯、すなわち、充電可能電力が小さい時間帯での充電について説明する。
この時間帯では、車両用充電システムは、家電の動作を妨げないように、充電を制限したり（図中の点線部分）、充電を行わないようにしたりする（図中の実線部分）。これによって、たとえ充電スケジュールの時間帯にこのような時間帯が含まれても、充電を制限したり充電を行わないようにしたりすることで、車両用充電システムは、ブレーカを作動させてしまいその後の充電ができなくなってしまうのを防止する。
【００７２】
なお、前述の第１の実施形態の説明では、充電可能電力算出処理部４１は、例えば、計測部を構成する。また、記憶部３２は、例えば、データ蓄積部を構成する。また、充電可能電力推移算出処理部４２は、例えば、算出部を構成する。また、充電時刻決定処理部４３及び充電所要時間算出処理部４４は、例えば、予測部を構成する。また、表示装置４は、表示部を構成する。
【００７３】
（第１の実施形態の変形例）
第１の実施形態では、車載充電器３０が充電予約のための各種処理を行っている。しかし、第１の実施形態は、これに限定されない。例えば、第１の実施形態では、充電遮断装置１３が、図２に示すような制御部４０、タイマ３１及び記憶部３２を有して、各種処理を行うこともできる。
【００７４】
また、第１の実施形態では、充電可能電力の計測周期が短い側を５分とし、長い側を３０分としている。しかし、第１の実施形態では、これに限定されない。例えば、短い側を５分以下にしたり、長い側を３０分よりも長い時間（例えば、１時間）にしたりすることができる。
また、第１の実施形態では、充電の有無を基に充電可能電力の計測周期を決定している。しかし、第１の実施形態では、これに限定されない。例えば、第１の実施形態では、家電の消費電力を基に計測周期を決定することもできる。図１２には、その一例を示す。この場合、例えば、充電可能電力算出処理部４１は、家電の消費電力が大きくなると予測したときに、例えば、家電の消費電力が予め設定された消費電力判定用しきい値以上になると予測したときに、それ以外の場合の計測周期（例えば３０分）よりも短い計測周期（例えば５分）に決定する。
【００７５】
また、第１の実施形態では、充電可能電力の変化を基に充電電力を調整することもできる。ここで、図１３を参照しつつ充電可能電力の変化に応じて充電電力を調整する一例を説明する。図１３に示すように、充電中に算出される充電可能電力が上昇している領域では、５分間隔でその充電可能電力を算出及び記憶し、充電中に算出される充電可能電力が減少する領域では、５分間隔よりも高い頻度（例えばコントローラの動作間隔、例えば１０ｍｓ）で充電電力を調整する。また、当該減少する領域では、充電可能電力の算出及び記憶については、５分間隔で行う。このように、充電可能電力が減少する領域で高い頻度で充電電力を調整することで、家電動作が不安定になったり、家電が停止したりしてしまうのを防止できる。
【００７６】
また、第１の実施形態では、充電予約による充電スケジュールの内容に従い実際に充電を行ったところ、当該充電予約の設定時に充電可能電力が小さく充電を制限するとした時間帯又は充電を行わないとした時間帯で家電の消費電力が実際に大きくならない場合には、その時間帯では充電スケジュールの内容を変更して通常の充電を行っても良い。すなわち、第１の実施形態では、充電予約により設定した充電スケジュールの内容を固定した内容にするのではなく、実際の充電状態に応じて充電予約設定後にもその内容を変更しても良い。これによって、車両用充電システムは、充電予約時に算出した充電終了時刻よりも早い時刻に充電が完了できるようになる。この場合、例えば、車両用充電システムは、表示装置４にも、充電スケジュールの内容の変更に伴い繰り上げられた充電終了予測時刻を表示する。
【００７７】
また、第１の実施形態では、充電予約設定時のほか充電中にも充電所要時間、充電終了時刻等を表示装置４に表示させることもできる。この場合、車両用充電システムは、イグニッションがオンされると、リアルタイムで表示装置４に充電所要時間や充電終了時刻等を表示し、イグニッションがオフされたときにその表示を終了する。
【００７８】
また、第１の実施形態では、充電増加処理によって充電電流を５Ａ（最小値）から１５Ａ（最大値）に増加させている。しかし、第１の実施形態では、充電増加処理における充電電流の最小値及び最大値は、これに限定されない。
【００７９】
また、第１の実施形態では、充電予約設定時の際には、充電開始時刻を使用者に設定させて、別途算出した充電所要時間を基に、対応する充電終了時刻を予測し表示装置４に表示している。しかし、第１の実施形態は、これに限定されない。すなわち、第１の実施形態では、充電予約設定時の際に、充電終了時刻を使用者に設定させて、別途算出した充電所要時間を基に、対応する充電開始時刻を予測し表示装置４に表示することもできる。
【００８０】
また、第１の実施形態では、充電期間外では、車載充電器３０の制御部４０を停止状態又はスリープ状態にしておくこともできる。この場合、制御部４０は、充電期間外では、タイマ機能を残して停止状態又はスリープ状態となり、充電可能電力の算出時だけ起動する。
また、第１の実施形態では、コンセント毎に充電可能電力を算出し、充電可能電力の時間推移を算出することもできる。
【００８１】
（第２の実施形態）
次に、第２の実施形態について説明する。なお、前述の第１の実施形態と同様な構成については同一の符号を付して説明する。
【００８２】
（構成）
第２の実施形態は、同一の電源系統に接続されている複数の家庭用電源コンセント２１を利用して２台の車両１ａ，１ｂを充電する図１４に示すような場合に対応している。そのため、第２の実施形態では、２台の車両１ａ，１ｂの充電の優先順位を基に充電時刻設定を行っている。
【００８３】
図１５には、第２の実施形態において充電時刻設定を可能にする構成を示す。
図１５に示すように、第２の実施形態では、車載充電器３０は、通信部３３をさらに有している。また、車載充電器３０は、制御部４０に、充電優先度設定部４５をさらに有している。ここで、通信部３３は、車両間で通信を行う部分である。例えば、通信部３３は、コネクタケーブル１０を介して有線による通信を行う。また、例えば、通信部３３は、携帯電話、Bluetooth（登録商標）、Wi-Fi等により無線による通信を行う無線通信装置である。
【００８４】
車載充電器３０は、このような構成によって、第１の実施形態と同様に、家庭用電源の電力消費状態を基に車両に充電可能な電力を算出し、その算出した充電可能電力の時間推移に基づき使用者が充電時刻を設定することを可能にしている。
図１６には、充電可能電力を算出する処理の一例のフローチャートを示す。また、図１７には、使用者による充電時刻設定を可能にする処理の一例のフローチャートを示す。以下に、図１６及び図１７に示す処理手順に沿って、図１５に示す車載充電器３０の各部の処理内容を具体的に説明する。
【００８５】
図１６に示すように、先ずステップＳ１０１では、充電可能電力算出処理部４１は、コネクタケーブル１０によって充電器側コンセント８と家庭用電源コンセント２１とが接続されたか否かを判定する。そして、充電可能電力算出処理部４１は、接続されたと判定したときに、ステップＳ１０２に進む。
【００８６】
ステップＳ１０２では、充電可能電力算出処理部４１は、自車両が接続している家庭用電源コンセント２１と同一の電源系統の他の家庭用電源コンセント２１に他車両が接続されているか否かを判定する。すなわち、充電可能電力算出処理部４１は、自車両を含めた２台の車両が同一の電源系統の家庭用電源コンセント２１に接続されているか否かを判定する。充電可能電力算出処理部４１は、２台の車両が同一の電源系統の家庭用電源コンセント２１に接続されていると判定すると、ステップＳ１０３に進む。また、充電可能電力算出処理部４１は、２台の車両が同一の電源系統の家庭用電源コンセント２１に接続されていないと判定すると、すなわち、自車両のみ家庭用電源コンセント２１に接続されていると判定すると、ステップＳ１０８に進む。
【００８７】
ステップＳ１０３では、充電可能電力算出処理部４１は、前記ステップＳ１０２で同一の電源系統の家庭用電源コンセント２１に接続されていると判定した他車両との間で通信を確立しているか否かを判定する。充電可能電力算出処理部４１は、車両間で通信を確立していると判定すると、ステップＳ１０４に進む。また、充電可能電力算出処理部４１は、車両間で通信を確立していないと判定すると、ステップＳ１０６に進む。
ステップＳ１０４では、充電可能電力算出処理部４１は、第１の実施形態における前記ステップＳ４の処理と同様の電力計測タイマ処理を行う。
【００８８】
次に、ステップＳ１０５では、充電可能電力算出処理部４１は、２台同時充電用の充電可能電力算出及び記憶処理を行う。そして、充電可能電力算出処理部４１は、当該図１６に示す処理を終了する。２台同時充電用の充電可能電力算出及び記憶処理については、後で詳述する。
【００８９】
また、ステップＳ１０６では、充電可能電力算出処理部４１は、２台の車両を同時に充電できない旨を表示装置４に行う。
次に、ステップＳ１０７では、充電可能電力算出処理部４１は、１台だけの充電を行うか否かを判定する。具体的には、充電可能電力算出処理部４１は、入力装置５に対して使用者が１台だけの充電を行うことの入力（選択）をした場合、１台だけの充電を行うとの判定を行う。充電可能電力算出処理部４１は、１台だけの充電を行うと判定すると、ステップＳ１０８に進む。また、充電可能電力算出処理部４１は、そうでない場合、例えば、予め設定した入力待ち時間が経過した場合、当該図１６に示す処理を終了する。
【００９０】
ステップＳ１０８では、充電可能電力算出処理部４１は、第１の実施形態における前記ステップＳ４の処理と同様の電力計測タイマ処理を行う。
次に、ステップＳ１０９では、充電可能電力算出処理部４１は、第１の実施形態における前記ステップＳ５の処理と同様の充電可能電力算出及び記憶処理を行う。そして、充電可能電力算出処理部４１は、当該図１６に示す処理を終了する。
図１６に示す処理は以上のような内容になる。
【００９１】
図１８には、前記ステップＳ１０５の２台同時充電用の充電可能電力算出及び記憶処理の一例のフローチャートを示す。
図１８に示すように、先ずステップＳ１２１では、充電可能電力算出処理部４１は、２台の車両のうち自車両が第１車両（すなわち１台目の車両）であるか否かを判定する。充電可能電力算出処理部４１は、自車両が第１車両であると判定すると、ステップＳ１２２に進む。また、充電可能電力算出処理部４１は、自車両が第１車両でないと判定すると、すなわち、自車両が第２車両（すなわち２台目の車両）である場合、ステップＳ１２５に進む。
【００９２】
ここで、２台の車両に対する第１及び第２車両の対応付けは、使用者によってなされる。又は、同一の電源系統の何れかの家庭用電源コンセント２１に最初に接続された車両は第１車両となる。
ステップＳ１２２では、充電可能電力算出処理部４１は、第１車両用の充電電流増加処理を行う。具体的には、充電可能電力算出処理部４１は、第１車両用の充電電流増加処理によって、充電電流を固定する。例えば、充電可能電力算出処理部４１は、充電電流を５Ａに固定する。
【００９３】
次に、ステップＳ１２３では、充電可能電力算出処理部４１は、家庭用電源コンセント２１の電源系統の電圧が降下したか否かを判定する。そして、充電可能電力算出処理部４１は、家庭用電源コンセント２１の電源系統の電圧が降下したと判定したときに、ステップＳ１２４に進む。
【００９４】
ステップＳ１２５では、充電可能電力算出処理部４１は、第２車両用の充電電流増加処理を行う。具体的には、充電可能電力算出処理部４１は、第２車両用の充電電流増加処理によって、充電電流を徐々に増加させていく。例えば、充電可能電力算出処理部４１は、充電電流を０Ａから１０Ａまで徐々に増加させていく。
【００９５】
次に、ステップＳ１２６では、充電可能電力算出処理部４１は、第１の実施形態における前記ステップＳ４２の処理と同様に、家庭用電源コンセント２１の電源系統の電圧が降下したか否かを判定する。そして、充電可能電力算出処理部４１は、家庭用電源コンセント２１の電源系統の電圧が降下したと判定したときに、ステップＳ１２４に進む。
【００９６】
ステップＳ１２４では、充電可能電力算出処理部４１は、第１の実施形態における前記ステップＳ４３の処理と同様に、充電可能電力を算出する。ここで、第２の実施形態では、充電可能電力算出処理部４１は、電圧と２台の車両における充電電流とを基に電力を算出し、その算出した電力を充電可能電力とする。また、充電可能電力算出処理部４１は、通信部３３を介して他車両の充電電流の情報を得る。
【００９７】
次に、ステップＳ１２７では、充電可能電力算出処理部４１は、第１の実施形態における前記ステップＳ４４の処理と同様に、前記ステップＳ１２４で算出した充電可能電力の記憶部３２への保存先を選択する。
次に、ステップＳ１２８では、充電可能電力算出処理部４１は、第１の実施形態における前記ステップＳ４５の処理と同様に、充電可能電力の制限処理を行う。
【００９８】
次に、ステップＳ１２９では、充電可能電力算出処理部４１は、第１の実施形態における前記ステップＳ４６の処理と同様に、前記ステップＳ１２７で選択した保存先に、前記ステップＳ１２４で算出した充電可能電力又は前記ステップＳ１２８で上限値に設定された充電可能電力を保存する。
【００９９】
次に、ステップＳ１３０では、充電可能電力算出処理部４１は、他車両の番号を、前記ステップＳ１２９で保存した充電可能電力に対応付けて保存する。そして、充電可能電力算出処理部４１は、当該図１８に示す処理を終了する（前記ステップＳ１０５の処理を終了する）。ここで、他車両の番号は、ナンバープレートの番号であったり、使用者が車両に対応付けて登録した任意の登録番号であったりする。
図１８に示す２台同時充電用の充電可能電力算出及び記憶処理は以上のような内容になる。
【０１００】
次に、図１７を参照しつつ、充電可能電力に基づき使用者が充電時刻を設定することを可能にする処理を説明する。
図１７に示すように、先ずステップＳ１４１では、充電可能電力推移算出処理部４２は、第１の実施形態における前記ステップＳ６１の処理と同様に、充電予約を開始するか否かを判定する。そして、充電可能電力推移算出処理部４２は、充電予約を開始すると判定したときに、ステップＳ１４２に進む。
【０１０１】
ステップＳ１４２では、充電可能電力推移算出処理部４２は、第１の実施形態における前記ステップＳ６２の処理と同様に、充電可能電力が保存されている保存先を選択する。
次に、ステップＳ１４３では、充電可能電力推移算出処理部４２は、第１の実施形態における前記ステップＳ６３の処理と同様に、前記ステップＳ１４２で選択した保存先に保存データ（すなわち、充電可能電力のデータ）が有るか否かを判定する。充電可能電力推移算出処理部４２は、選択した保存先に保存データが有ると判定すると、ステップＳ１４４に進む。また、充電可能電力推移算出処理部４２は、選択した保存先に保存データが無いと判定すると、ステップＳ１４５に進む。
【０１０２】
ステップＳ１４４では、充電可能電力推移算出処理部４２は、第１の実施形態における前記ステップＳ６４の処理と同様に、保存データを基に、充電可能電力の時間推移を算出する。そして、充電可能電力推移算出処理部４２は、ステップＳ１４６に進む。
ステップＳ１４５では、充電可能電力推移算出処理部４２は、第１の実施形態における前記ステップＳ６５の処理と同様に、デフォルト値を基に、充電可能電力の時間推移を算出する。そして、充電可能電力推移算出処理部４２は、ステップＳ１４６に進む。
【０１０３】
ステップＳ１４６では、充電可能電力推移算出処理部４２は、第１の実施形態における前記ステップＳ６６の処理と同様に、充電可能電力補正処理を行う。
次に、ステップＳ１４７では、充電可能電力推移算出処理部４２は、２台同時充電用の充電時刻決定処理を行う。そして、充電可能電力推移算出処理部４２は、当該図１７に示す処理を終了する。
図１７に示す処理は以上のような内容になる。
【０１０４】
図１９には、前記ステップＳ１４７の２台同時充電用の充電時刻決定処理の一例のフローチャートを示す。
図１９に示すように、先ずステップＳ１６１では、充電時刻決定処理部４３は、第１の実施形態におけるステップＳ８１の処理と同様に、充電希望時間帯を取得する。
【０１０５】
次に、ステップＳ１６２では、充電時刻決定処理部４３は、第１の実施形態における前記ステップＳ８２の処理と同様に、充電可能電力の時間推移を表示装置４に表示する。
次に、ステップＳ１６３では、充電時刻決定処理部４３は、第１の実施形態における前記ステップＳ８３の処理と同様に、使用者によって充電開始時刻の仮設定がなされたか否かを判定する。そして、充電時刻決定処理部４３は、使用者によって充電開始時刻の仮設定がなされたときに、ステップＳ１６４に進む。
【０１０６】
ステップＳ１６４では、充電時刻決定処理部４３は、第１の実施形態における前記ステップＳ８４の処理と同様に、目的地移動用目標ＳＯＣ値を取得する。
次に、ステップＳ１６５では、充電時刻決定処理部４３は、目標ＳＯＣ値に前記ステップＳ１６４で取得した目的地移動用目標ＳＯＣ値を設定する。
【０１０７】
次に、ステップＳ１６６では、充電所要時間算出処理部４４は、前記ステップＳ１６５で取得した目標ＳＯＣ値等を用いて充電所要時間算出処理を行う。この充電所要時間算出処理については、後で詳述する。
次に、ステップＳ１６７では、充電時刻決定処理部４３は、前記ステップＳ１６６の充電所要時間算出処理によって算出した充電所要時間を第１充電所要時間Ｔ１に設定する。
【０１０８】
次に、ステップＳ１６８では、充電時刻決定処理部４３は、自車両の充電優先度を最下位に変更する。
ここで、充電を行う車両毎の優先度、すなわち充電優先度を、使用者が登録できるようになっている。具体的には、使用者は、入力装置５を操作して車両毎に充電優先度を入力することができる。又は、充電優先度設定部４５は、これまでの車両毎の充電履歴に基づき充電優先度を決定する。充電優先度設定部４５は、そのように入力された又は決定した充電優先度を記憶部３２に記憶する。
【０１０９】
図２０には、記憶部３２に記憶されている充電優先度の一例を示す。
図２０に示すように、車両の番号（例えば、ナンバープレートや使用者が登録した番号）に対応付けられて充電優先度が記憶部３２に記憶される。
ステップＳ１６８では、このように登録されている充電優先度について、自車両の充電優先度を最下位に変更する。
【０１１０】
次に、ステップＳ１６９では、充電時刻決定処理部４３は、目標ＳＯＣ値に予約充電目標ＳＯＣ値を設定する。
次に、ステップＳ１７０では、充電所要時間算出処理部４４は、前記ステップＳ１６９で取得した目標ＳＯＣ値等を用いて充電所要時間算出処理を行う。この充電所要時間算出処理については、後で詳述する。
【０１１１】
次に、ステップＳ１７１では、充電時刻決定処理部４３は、前記ステップＳ１７０の充電所要時間算出処理によって算出した充電所要時間を第２充電所要時間Ｔ２に設定する。
次に、ステップＳ１７２では、充電時刻決定処理部４３は、前記ステップＳ１６８で最下位に変更した自車両の充電優先度を元に戻す。
【０１１２】
次に、ステップＳ１７３では、充電時刻決定処理部４３は、第１の実施形態における前記ステップＳ８７の処理と同様に、第１充電所要時間Ｔ１が第２充電所要時間Ｔ２よりも大きいか否かを判定する。充電時刻決定処理部４３は、第１充電所要時間Ｔ１が第２充電所要時間Ｔ２よりも大きいと判定すると（Ｔ１＞Ｔ２）、ステップＳ１７５に進む。また、充電時刻決定処理部４３は、第１充電所要時間Ｔ１が第２充電所要時間Ｔ２以下であると判定すると（Ｔ１≦Ｔ２）、ステップＳ１７４に進む。
【０１１３】
ステップＳ１７４では、充電時刻決定処理部４３は、第１の実施形態における前記ステップＳ８８の処理と同様に、第１及び第２充電所要時間Ｔ１、Ｔ２を表示装置４に表示する。そして、充電時刻決定処理部４３は、ステップＳ１７６に進む。
ステップＳ１７５では、充電時刻決定処理部４３は、第１の実施形態における前記ステップＳ８９の処理と同様に、第２充電所要時間Ｔ２と車両の航続距離が不足する旨とを表示装置４に表示する。そして、充電時刻決定処理部４３は、ステップＳ１７６に進む。
【０１１４】
ステップＳ１７６では、充電時刻決定処理部４３は、第１の実施形態における前記ステップＳ９０の処理と同様に、使用者によって充電開始時刻の本設定がなされたか否かを判定する。そして、充電時刻決定処理部４３は、使用者によって充電開始時刻の本設定がなされたと判定したときに、ステップＳ１７７に進む。
【０１１５】
ステップＳ１７７では、充電時刻決定処理部４３は、第１の実施形態における前記ステップＳ９１の処理と同様に、前記ステップＳ１７６で本設定された充電開始時刻を最終的に充電開始時刻として決定（又は確定）する。そして、充電時刻決定処理部４３は、当該図１９に示す処理を終了する。この充電開始時刻の決定によって、車両用充電システムは、決定された充電開始時刻に充電を開始する。
図１９に示す充電時刻決定処理は以上のような内容になる。
【０１１６】
次に、前記ステップＳ１６６及び前記ステップＳ１７０の充電所要時間算出処理について説明する。
図２１には、その充電所要時間算出処理の一例のフローチャートを示す。
図２１に示すように、先ずステップＳ１９１では、充電所要時間算出処理部４４は、充電所要時間の算出に用いる充電比率の算出を充電優先度を基準に行うか、充電終了時刻を基準に行うかの指示が使用者によってなされたか否かを判定する。充電所要時間算出処理部４４は、使用者による入力装置５からの入力情報を基に、充電優先度を基準に行う指示（すなわち、充電優先指示）がなされたと判定すると、ステップＳ１９２に進む。また、充電所要時間算出処理部４４は、使用者による入力装置５からの入力情報を基に、充電終了時刻を基準に行う指示（すなわち、充電終了時刻優先指示）がなされたと判定すると、ステップＳ１９３に進む。
【０１１７】
ステップＳ１９２では、充電所要時間算出処理部４４は、充電優先指示による充電比率算出処理（以下、第１充電比率算出処理という。）を行う。第１充電比率算出処理では、単純に充電優先度を用いて充電比率を算出する。そして、充電所要時間算出処理部４４は、ステップＳ１９４に進む。この第１充電比率算出処理については、後で詳述する。
【０１１８】
ステップＳ１９３では、充電所要時間算出処理部４４は、充電終了時刻優先指示による充電比率算出処理（以下、第２充電比率算出処理という。）を行う。第２充電比率算出処理では、充電優先度から得られる充電終了時刻の優先度合いを考慮して充電比率を算出する。そして、充電所要時間算出処理部４４は、ステップＳ１９４に進む。この第２充電比率算出処理については、後で詳述する。
【０１１９】
ステップＳ１９４では、充電所要時間算出処理部４４は、前記ステップＳ１９２又は前記ステップＳ１９３で算出した充電比率を基に充電所要時間を算出する。具体的には、充電所要時間算出処理部４４は、前記ステップＳ１９２又は前記ステップＳ１９３で算出した充電比率、前記ステップＳ１６５又は前記ステップＳ１６９で算出した目標ＳＯＣ値、現在のバッテリの充電状態、充電可能電力の時間推移、及び前記ステップＳ１６３で仮設定された充電開始時刻を基に充電所要時間を算出する。これによって、充電時刻決定処理部４３は、仮設定された充電開始時刻に現在のバッテリの充電状態から充電を開始して、充電可能電力の時間推移及び充電比率を考慮した充電を行い、目標ＳＯＣ値に達するまでの時間として充電所要時間を算出する。そして、充電所要時間算出処理部４４は、当該図２１に示す処理を終了する。
図２１に示す充電所要時間算出処理は以上のような内容になる。
【０１２０】
次に、前記ステップＳ１９２の第１充電比率算出処理について説明する。
図２２には、その第１充電比率算出処理の一例のフローチャートを示す。
図２２に示すように、先ずステップＳ２１１では、充電所要時間算出処理部４４は、２台の各車両の充電優先度を取得する。例えば、充電所要時間算出処理部４４は、図２０に示すように記憶部３２に記憶されている情報から２台の各車両の充電優先度を取得する。
【０１２１】
次に、ステップＳ２１２では、充電所要時間算出処理部４４は、前記ステップＳ２１１で取得した充電優先度を基に、充電比率を算出する。そして、充電所要時間算出処理部４４は、当該図２２に示す処理を終了する（すなわち、前記ステップＳ１９２の処理を終了する）。
【０１２２】
ここで、例えば、充電所要時間算出処理部４４は、下記（１）式及び（２）式を用いて、第１車両（１台目の車両）の充電比率Ｒ１及び第２車両（２台目の車両）の充電比率Ｒ２を算出する。
Ｒ１＝Ｐ１／（Ｐ１＋Ｐ２）  ・・・（１）
Ｒ２＝Ｐ２／（Ｐ１＋Ｐ２）  ・・・（２）
【０１２３】
ここで、Ｐ１は、第１車両の充電優先度である。また、Ｐ２は、第２車両の充電優先度である。
また、ステップＳ２１２では、充電所要時間算出処理部４４は、予め設定されている情報からなる充電比率マップ又はテーブル等を参照して、充電優先度に対応する充電比率を取得しても良い。
【０１２４】
図２３には、充電比率マップ又はテーブルの一例を示す。
図２３に示すように、充電比率マップ等では、第１車両及び第２車両の充電優先度と第１車両及び第２車両の充電比率とが対応付けられている。充電所要時間算出処理部４４は、このような充電比率マップ等を参照して、充電優先度に対応する第１及び第２車両の充電比率Ｒ１、Ｒ２を取得する。
図２２に示す第１充電比率算出処理は以上のような内容になる。
【０１２５】
次に、前記ステップＳ１９３の第２充電比率算出処理について説明する。
図２４には、その第２充電比率算出処理の一例のフローチャートを示す。
図２４に示すように、先ずステップＳ２３１では、充電所要時間算出処理部４４は、２台の各車両の充電優先度を取得する。例えば、充電所要時間算出処理部４４は、図２０に示すように記憶部３２に記憶されている情報から２台の各車両の充電優先度を取得する。
【０１２６】
次に、ステップＳ２３２では、充電所要時間算出処理部４４は、前記ステップＳ２３１で取得した充電優先度を基に目標終了時間差を算出する。ここで、目標終了時間差は、２台の車両の充電終了時刻の時間差の目標値である。本実施形態では、第１車両が充電を終了した終了時刻から、第２車両が充電を終了した終了時刻までの時間差の目標値である。例えば、充電所要時間算出処理部４４は、下記（３）式を用いて、目標終了時間差△Ｔを算出する。
△Ｔ＝（Ｐ２−Ｐ１）×ｋ  ・・・（３）
【０１２７】
ここで、Ｐ１は、第１車両の充電優先度である。また、Ｐ２は、第２車両の充電優先度である。また、ｋは、変換係数である。例えば、ｋ＝（１／時間）とする。また、△Ｔが負値になった場合、目標終了時間差は、第１車両と第２車両との関係が逆転した値となり、第２車両の充電終了時刻から第１車両の充電終了時刻までの時間となる。
【０１２８】
また、ステップＳ２３２では、充電所要時間算出処理部４４は、予め設定されている情報からなるマップ又はテーブル等を参照して、充電優先度に対応する目標終了時間差を取得しても良い。
【０１２９】
図２５には、そのマップ又はテーブルの一例を示す。
図２５に示すように、マップ等では、第１車両及び第２車両の充電優先度と目標終了時間差（具体的には、第１車両の充電終了時刻に対する第２車両の充電終了時刻）とが対応付けられている。充電所要時間算出処理部４４は、このようなマップ等を参照して、充電優先度に対応する目標終了時間差を取得する。
【０１３０】
次に、ステップＳ２３３では、充電所要時間算出処理部４４は、２台の各車両の残りの充電電力量（以下、残り充電電力量という。）を算出する。ここで、充電所要時間算出処理部４４は、通信部３３を介して他車両の残り充電電力量の情報を得る。
次に、ステップＳ２３４では、充電所要時間算出処理部４４は、２台の各車両の充電比率を仮設定する。具体的には、充電所要時間算出処理部４４は、下記（４）式のように充電比率を仮設定する。
Ｒ１：Ｒ２＝５０：５０  ・・・（４）
ここで、Ｒ１は、第１車両の充電比率である。また、Ｒ２は、第２車両の充電比率である。
【０１３１】
次に、ステップＳ２３５では、充電所要時間算出処理部４４は、２台の各車両の充電終了予測時刻を算出する。具体的には、充電所要時間算出処理部４４は、前記ステップＳ２３３で算出した残り充電電力量及び前記ステップＳ２３４で仮設定した充電比率を用いて、２台の各車両の充電終了予測時刻を算出する。
【０１３２】
次に、ステップＳ２３６では、充電所要時間算出処理部４４は、前記ステップＳ２３５で算出した２台の各車両の充電終了予測時刻の差分値を算出する。
次に、ステップＳ２３７では、充電所要時間算出処理部４４は、現在の充電比率が初期値（すなわち、２台の各車両の充電比率がいずれも５０）であるか否かを判定する。充電所要時間算出処理部４４は、現在の充電比率が初期値であると判定すると、ステップＳ２３８に進む。また、充電所要時間算出処理部４４は、現在の充電比率が初期値でないと判定すると、ステップＳ２４０に進む。
【０１３３】
ステップＳ２３８では、充電所要時間算出処理部４４は、増減用値△Ｒに１を設定する。
次に、ステップＳ２３９では、充電所要時間算出処理部４４は、充電比率を変更する。そして、充電所要時間算出処理部４４は、前記ステップＳ２３５から再び処理を開始する。
ここで、具体的には、充電所要時間算出処理部４４は、下記（５）式及び（６）式を用いて、前記ステップＳ２３８で設定した増減用値△Ｒを基に、第１車両の充電比率Ｒ１及び第２車両の充電比率Ｒ２を変更する。
Ｒ１＝Ｒ１＋△Ｒ  ・・・（５）
Ｒ２＝Ｒ２−△Ｒ  ・・・（６）
【０１３４】
また、ステップＳ２４０では、充電所要時間算出処理部４４は、前回の処理において前記ステップＳ２３６で算出した差分値（以下、前回差分値という。）よりも今回の処理において前記ステップＳ２３６で算出した差分値（以下、今回差分値という。）の方が、前記ステップＳ２３２で算出した目標終了時間差に近づいたか否かを判定する。充電所要時間算出処理部４４は、前回差分値よりも今回差分値の方が目標終了時間差に近づいたと判定すると、前記ステップＳ２３８に進む。また、充電所要時間算出処理部４４は、そうでない場合、すなわち、今回差分値よりも前回差分値の方が目標終了時間差に近いと判定すると、ステップＳ２４１に進む。
【０１３５】
ステップＳ２４１では、充電所要時間算出処理部４４は、下記（７）式が成立するか否かを判定する。
Ｒ１：Ｒ２＝５１：４９  ・・・（７）
充電所要時間算出処理部４４は、前記（７）式が成立すると判定すると、ステップＳ２４２に進む。また、充電所要時間算出処理部４４は、前記（７）式が成立しないと判定すると、ステップＳ２４３に進む。
【０１３６】
ステップＳ２４２では、充電所要時間算出処理部４４は、充電比率を初期値（すなわち、Ｒ１＝Ｒ２＝５０）に戻す。さらに、ステップＳ２４２では、充電所要時間算出処理部４４は、増減用値△Ｒの符号を反転させる（△Ｒ＝−△Ｒ）。そして、充電所要時間算出処理部４４は、前記ステップＳ２３５から再び処理を開始する。
【０１３７】
ステップＳ２４３では、充電所要時間算出処理部４４は、充電比率Ｒ１、Ｒ２を確定する。そして、充電所要時間算出処理部４４は、当該図２４に示す処理を終了する（すなわち、前記ステップＳ１９３の処理を終了する）。
以上の図２４に示す第２充電比率算出処理によって、充電所要時間算出処理部４４は、充電比率Ｒ１、Ｒ２のうちの何れか一方を増加させていきつつ、充電比率Ｒ１、Ｒ２のうちの何れか他方を減少させていくことで、当該充電比率Ｒ１、Ｒ２に基づき算出される２台の各車両の充電終了予測時刻の差分値が第１及び第２車両の充電優先度に基づき算出した目標終了時間差に収束したときの当該充電比率Ｒ１、Ｒ２を確定値としている。
【０１３８】
（動作、作用等）
次に、第２の実施形態における車両用充電システムの動作、作用等の一例について説明する。
車両用充電システムは、コネクタケーブル１０によって自車両の充電器側コンセント８と家庭用電源コンセント２１とが接続され、他車両も同一の電源系統の他の家庭用電源コンセント２１に接続され、かつ、自車両と他車両との間の通信が確立している場合、電力計測タイマ処理、並びに２台同時充電用の充電可能電力算出及び記憶処理によって、充電の有無に応じた計測周期で２台の充電電流に基づき充電可能電力を算出し、算出した充電可能電力を各車両の記憶部３２に記憶する（図５、図１６、図１８）。
【０１３９】
ここで、２台同時充電用の充電可能電力算出及び記憶処理では、車両用充電システムは、自車両が第１車両であるか第２車両であるかを判定して、その判定結果に応じた充電電流増加処理を行っている（前記ステップＳ１２１乃至前記ステップＳ１２３、前記ステップＳ１２５、前記ステップＳ１２６）。
【０１４０】
一方、車両用充電システムは、他車両も同一の電源系統の他の家庭用電源コンセント２１に接続されている場合でも、自車両と他車両との間の通信が確立していない場合、使用者によって自車両を充電する選択がなされた場合、第１の実施形態と同様の電力計測タイマ処理、並びに充電可能電力算出及び記憶処理を行う（図５、図６、図１６）。これによって、車両用充電システムは、自車両の充電電流だけで充電可能電力を算出し、算出した充電可能電力を自車両の記憶部３２に記憶する。
【０１４１】
そして、車両用充電システムは、充電予約を開始すると（使用者からの充電予約の設定要求を受け付けると）、充電可能電力が保存されている保存先を選択する（前記ステップＳ１４１、前記ステップＳ１４２）。そして、車両用充電システムは、選択した保存先に保存データがある場合には、その保存データを基に、充電可能電力の時間推移を算出する（前記ステップＳ１４３、前記ステップＳ１４４）。一方、車両用充電システムは、選択した保存先に保存データがない場合には、デフォルト値を基に、充電可能電力の時間推移を算出する（前記ステップＳ１４３、前記ステップＳ１４５）。それから、車両用充電システムは、算出した充電可能電力の時間推移に補正処理を施した後、２台同時充電用の充電時刻決定処理を行う（前記ステップＳ１４６、前記ステップＳ１４７）。
【０１４２】
２台同時充電用の充電時刻決定処理では、車両用充電システムは、先ず、使用者が設定した充電希望時間帯を含む時間帯の充電可能電力の時間推移を表示装置４に表示する（前記ステップＳ１６１、前記ステップＳ１６２）。
そして、車両用充電システムは、使用者によって充電開始時刻の仮設定がなされると、先ず、目標ＳＯＣ値に目的地移動用目標ＳＯＣ値を設定し、その目標ＳＯＣ値等を用いて充電所要時間算出処理を行う（前記ステップＳ１６３乃至前記ステップＳ１６６）。
【０１４３】
その充電所要時間算出処理では、車両用充電システムは、使用者による指示によって、単純に充電優先度に基づき充電比率を算出したり、充電優先度を基に取得した充電終了時刻の優先度合いに基づき充電比率を算出したりする（前記ステップＳ１９１乃至前記ステップＳ１９３）。そして、車両用充電システムは、算出した充電比率や先に取得した目標ＳＯＣ等を用いて充電所要時間を算出する（前記ステップＳ１９４）。それから、車両用充電システムは、算出した充電所要時間を第１充電所要時間Ｔ１に設定する（前記ステップＳ１６７）。
【０１４４】
続いて、車両用充電システムは、自車両の充電優先度を最下位に変更するとともに、目標ＳＯＣ値に予約充電目標ＳＯＣ値を設定し、その目標ＳＯＣ値等を用いて充電所要時間算出処理を行う（前記ステップＳ１６８乃至前記ステップＳ１７０）。
その充電所要時間算出処理では、車両用充電システムは、使用者による指示によって、最下位に変更した充電優先度に基づき単純に充電比率を算出したり、最下位に変更した充電優先度を基に取得した充電終了時刻の優先度合いに基づき充電比率を算出したりする（前記ステップＳ１９１乃至前記ステップＳ１９３）。そして、車両用充電システムは、算出した充電比率や先に取得した目標ＳＯＣ等を用いて充電所要時間を算出する（前記ステップＳ１９４）。それから、車両用充電システムは、算出した充電所要時間を第２充電所要時間Ｔ２に設定する（前記ステップＳ１７１）。さらに、車両用充電システムは、先に最下位に変更した自車両の充電優先度を元に戻す（前記ステップＳ１７２）。
【０１４５】
そして、車両用充電システムは、取得したそれら第１及び第２充電所要時間Ｔ１、Ｔ２を用い、第１充電所要時間Ｔ１が第２充電所要時間Ｔ２よりも大きい場合には、第２充電所要時間Ｔ２と車両の航続距離が不足する旨とを表示装置４に表示する（前記ステップＳ１７３、前記ステップＳ１７５）。また、車両用充電システムは、第１充電所要時間Ｔ１が第２充電所要時間Ｔ２以下である場合には、第１及び第２充電所要時間Ｔ１、Ｔ２に基づき表示装置４に表示を行う（前記ステップＳ１７３、前記ステップＳ１７４）。そして、車両用充電システムは、使用者によって充電開始時刻の本設定がなされると、充電開始時刻を決定する（前記ステップＳ１７６、前記ステップＳ１７７）。その後、車両用充電システムは、以上のようにして設定された充電予約の充電スケジュールに従い、決定された充電開始時刻に充電を開始し、予め算出した充電可能電力の時間推移に基づいて充電を行う。
【０１４６】
ここで、第２の実施形態では、前述のように、目標ＳＯＣ値に予約充電目標ＳＯＣ値を設定した場合には、充電優先度を最下位に変更して充電所要時間を算出することによって、ＳＯＣ値が予約充電目標ＳＯＣ値（例えば、満充電時のＳＯＣ値）に達する充電所要時間の最大値を得ている。
【０１４７】
ここで、２台の車両を同時に充電する場合には、各車両の充電優先度と各車両の現在のバッテリの充電状態（すなわち、バッテリ残量）とに応じて充電終了時刻が決まる。そのため、場合によっては、２台の車両のうちの一方の車両の充電開始時刻を早めても、２台の車両それぞれの充電終了時刻に差が生じない場合が発生する。そのため、充電優先度を最下位に変更することによって充電所要時間の最大値を取得して、その値に基づいて使用者が充電予約の充電開始時刻を決定できるようにしている。
【０１４８】
ここで、図２６及び図２７を用いて、家電の消費電力が大きい時間帯、すなわち、充電可能電力が小さい時間帯での充電について説明する。
図２６に示すように、この時間帯では、車両用充電システムを搭載する第１及び第２車両は、家電の動作を妨げないように、充電を制限したり（図中の点線部分）、充電を行わないようにしたりする（図中の実線部分及び一点鎖線部分）。例えば、第１及び第２車両は、家電の動作を妨げないように、充電による消費電力（すなわち、充電電力）の総和が減少するよう、充電を制限したり（図中の点線部分）、充電を行わないようにしたりする（図中の実線部分及び一点鎖線部分）。この例では、第１車両と第２車両が、互いに充電優先度が等しいために、同様な消費電力（すなわち、同様な充電電力）となるような充電スケジュールを示す。
【０１４９】
これによって、たとえ充電スケジュールの時間帯にこのような時間帯が含まれても、充電を制限したり充電を行わないようにしたりすることで、第１及び第２車両は、ブレーカを作動させてしまいその後の充電ができなくなってしまうのを防止する。
また、図２７に示すように、車両用充電システムを搭載する第１及び第２車両は、各車両の充電優先度（すなわち、充電優先度に応じた充電比率）に基づいて、充電を制限したり（図中の点線部分）、充電を行わないようにしたりする（図中の実線部分及び一点鎖線部分）。この例では、第１車両は、その充電優先度が第２車両の充電優先度よりも高いため、第２車両よりも充電の制限度合いが小さくなっている。
【０１５０】
なお、前述の第２の実施形態の説明では、充電優先度設定部４５は、例えば、設定部を構成する。
【０１５１】
（第２の実施形態の変形例）
第２の実施形態では、車両用充電システムは、自車両の記憶部３２に蓄積された充電可能電力データを通信部３３によって他車両に送信したり、他車両における充電可能電力データを当該他車両から通信部３３によって受信し、受信した充電可能電力データを記憶部３２に記憶したりすることもできる。これによって、車両用充電システムは、他車両が算出した充電可能電力をも利用して、自車両の充電可能電力の時間推移を精度良く予測できる。例えば、車両用充電システムは、自車両が保有していない時間帯の充電可能電力データを他車両から入手できるようになるために、充電可能電力の時間推移を精度良く予測できる。また、車両用充電システムは、充電可能電力データだけでなく、充電可能電力の時間推移、さらには、充電比率を考慮した充電予約内容（すなわち、充電スケジュールの内容）等も車両間で通信によってやり取りしても良く、これによって、自車両の充電可能電力の時間推移を精度良く予測できる。
【０１５２】
また、第２の実施形態では、自車両の表示装置４に他車両の充電所要時間を表示することもできる。
図２８には、その一例であり、充電予約を行う際の表示装置４の表示態様を示す。ここで、図２８（ｂ）には、図２８（ａ）の場合よりも使用者が充電開始時刻を２時間遅い時刻に仮設定した場合を示す。
【０１５３】
図２８（ａ）及び（ｂ）に示すように、表示装置４には、使用者が仮設定された充電開始時刻から、算出した充電所要時間に応じた充電終了時刻（すなわち、充電終了予測時刻）までの時間帯を表示する。そして、図２８（ｂ）に示すように、使用者が充電開始時刻を２時間後にずらして仮設定すると、自車両の充電時間帯に他車両の充電時間帯と充電可能電力が最小となる時間帯とが重なることで、自車両の充電終了時刻が大きく後方にずれ込むことになる。
【０１５４】
また、第２の実施形態では、同一電源系統の家庭用電源コンセント２１に２台の車両が接続されている。しかし、第２の実施形態は、これに限定されない。すなわち、第２の実施形態では、同一電源系統の家庭用電源コンセント２１に３台以上の複数の車両が接続されていても良い。この場合、その接続台数に応じた処理を行う。例えば、第２の実施形態では、各車両毎で異なる充電電流増加処理や接続台数に応じた表示装置４への表示を行う。
また、第１の実施形態の変形例が第２の実施形態に適用可能であれば第２の実施形態の変形例として適用しても良い。
【０１５５】
また、本発明の実施形態を具体的に説明したが、本発明の範囲は、図示され記載された例示的な実施形態に限定されるものではなく、本発明が目的とするものと均等な効果をもたらすすべての実施形態をも含む。さらに、本発明の範囲は、請求項１により画される発明の特徴の組み合わせに限定されるものではなく、すべての開示されたそれぞれの特徴のうち特定の特徴のあらゆる所望する組み合わせによって画されうる。
【符号の説明】
【０１５６】
１  車両、２  バッテリパック、３  車両コントローラ、４  表示装置、５  入力装置、１０  コネクタケーブル、１３  充電遮断装置、２１  家庭用電源コンセント、３０  車載充電器、３１  タイマ、３２  記憶部、３３  通信部、４０  制御部、４１  充電可能電力算出処理部、４２  充電可能電力推移算出処理部、４３  充電時刻決定処理部、４４  充電所要時間算出処理部、４５  充電優先度設定部
【図１】
2014017891.tif 000003
【図２】
2014017891.tif 000004
【図３】
2014017891.tif 000005
【図４】
2014017891.tif 000006
【図５】
2014017891.tif 000007
【図６】
2014017891.tif 000008
【図７】
2014017891.tif 000009
【図８】
2014017891.tif 000010
【図９】
2014017891.tif 000011
【図１０】
2014017891.tif 000012
【図１１】
2014017891.tif 000013
【図１２】
2014017891.tif 000014
【図１３】
2014017891.tif 000015
【図１４】
2014017891.tif 000016
【図１５】
2014017891.tif 000017
【図１６】
2014017891.tif 000018
【図１７】
2014017891.tif 000019
【図１８】
2014017891.tif 000020
【図１９】
2014017891.tif 000021
【図２０】
2014017891.tif 000022
【図２１】
2014017891.tif 000023
【図２２】
2014017891.tif 000024
【図２３】
2014017891.tif 000025
【図２４】
2014017891.tif 000026
【図２５】
2014017891.tif 000027
【図２６】
2014017891.tif 000028
【図２７】
2014017891.tif 000029
【図２８】
2014017891.tif 000030
【図２９】
2014017891.tif 000031
【図３０】
2014017891.tif 000032
【図３１】
2014017891.tif 000033